(57)【特許請求の範囲】
【請求項１】
籾摺部と風選部と揺動選別部と粒選別部と前記各部の駆動・停止を操作できるタッチパネル制御部とを備えた穀物調製設備の制御装置であって、
前記タッチパネル制御部は、前記穀物調製設備の運転開始時に前記各部を後工程の粒選別部から順次起動させる一方、前記穀物調製設備の運転停止時に前記各部を前工程の籾摺部から順次停止させる自動運転モードを備え、
前記自動運転モード選択時に前記穀物調製設備が正常に駆動しているときは運転状況が正常であることを点灯表示するラインフロー表示画面となり、前記自動運転モード選択時に前記穀物調製設備に異常が発生したときは異常箇所がどこであるかを点灯表示するとともに、異常の復旧手順を表示するエラー表示画面となり、
前記タッチパネル制御部は、前記エラー表示画面の異常の復旧手順を、過去の異常発生の警報履歴を参照して確認するため複数の発報内容、発報時刻及び復旧時刻を一覧表示する警報履歴表示機能を設け、
さらに、前記穀物調製設備の各部で使用される消耗部品の耐久時間をあらかじめ設定するとともに、該消耗部品の使用時間が設定した耐久時間に到達すると警報を報知する部品交換報知機能を設けたことを特徴とする穀物調製設備の制御装置。
【請求項２】
前記タッチパネル制御部は、前記穀物調製設備に供給される原料の流通履歴の確認ができるようトレーサビリティ履歴書き込み機能を備えてなる請求項１記載の穀物調製設備の制御装置。
【請求項３】
前記揺動選別部は、前記籾摺部及び前記風選部により籾摺・風選された混合米を籾領域、混合米領域及び玄米領域に偏析分離させるものであって、該揺動選別部の穀粒排出端には、前記各領域を仕切る選別仕切板が移動可能に設けられていて、前記タッチパネル制御部に設けた自動運転モードを選択した場合には、前記選別仕切板の移動を前記各領域の境界位置付近に正確に位置させるよう移動制御してなる請求項１又は２記載の穀物調製設備の制御装置。
【発明の詳細な説明】
【技術分野】
【０００１】
本発明は、籾摺部、風選部、揺動選別部及び粒選別部を組み合わせた穀物調製設備の制御装置に関する。
【背景技術】
【０００２】
籾摺部、風選部、揺動選別部及び粒選別部を組み合わせた穀物調製設備として、例えば、特許文献１に記載したものがある。
【０００３】
このものは、原料昇降機、脱ぷ風選装置、選別機投入昇降機及び揺動選別装置などの調製機器を備えた米麦調製設備をタッチパネルを介して制御する制御機構であって、前記タッチパネルの表示面上に異常要因スイッチを表示させる機能と、前記表示面上に前記調製機器の異常の発生及びその位置を発光表示させる機能と、前記発光の状態下で前記異常要因スイッチに作業者が触れたとき前記異常の内容や対処方法についての文字情報を前記表示面上に表示させる機能とを具備させたものである。
【０００４】
これにより、タッチパネルで米麦調製設備の原料昇降機、脱ぷ風選装置、選別機投入昇降機及び揺動選別装置などの調製機器を制御するようにしたため、監視操作部を小型化することができ、調製機器近傍の現場などであっても的確な監視と、充実した制御及び入力操作を行えるようになすことができる。
【０００５】
そして、異常発生がパネル上での発光により認識できるに留まらず、簡易な操作により、異常な詳細な内容や対処方法を文字情報で得ることができ、作業者は熟練者に聞くなどしなくても迅速に異常を解消させることができ、効率的な調製処理を行わせることができるといった利点もある。
【０００６】
しかしながら、上記の制御機構は、故障したときの直前の故障情報や、部品交換したときのメンテナンス情報などの履歴情報が記録されていないため、過去の異常発生の状況やメンテナンス状況を知ることができず、故障原因の究明に時間がかかってしまい、ひいては、故障の復旧時間や修理時間が長期化してしまうという問題があった。
【先行技術文献】
【特許文献】
【０００７】
【特許文献１】特開２００５−１５２６８４号公報
【発明の概要】
【発明が解決しようとする課題】
【０００８】
本発明は上記問題点にかんがみ、タッチパネルで調製機器を制御するようにしたものであって、運転状況を一目で把握することができるとともに、故障が生じた場合に故障原因を速やかに把握することができ、故障の復旧時間や修理時間を短縮することのできる穀物調製設備の制御装置を提供することを目的とする。
【課題を解決するための手段】
【０００９】
上記課題を解決するため本発明は、籾摺部と風選部と揺動選別部と粒選別部と前記各部の駆動・停止を操作できるタッチパネル制御部とを備えた穀物調製設備の制御装置であって、前記タッチパネル制御部は、前記穀物調製設備の運転開始時に前記各部を後工程の粒選別部から順次起動させる一方、前記穀物調製設備の運転停止時に前記各部を前工程の籾摺部から順次停止させる自動運転モードを備え、前記自動運転モード選択時に前記穀物調製設備が正常に駆動しているときは運転状況が正常であることを点灯表示するラインフロー表示画面となり、前記自動運転モード選択時に前記穀物調製設備に異常が発生したときは異常箇所がどこであるかを点灯表示するとともに、異常の復旧手順を表示するエラー表示画面となり、前記タッチパネル制御部は、前記エラー表示画面の異常の復旧手順を、過去の異常発生の警報履歴を参照して確認するため複数の発報内容、発報時刻及び復旧時刻を一覧表示する警報履歴表示機能を設け、さらに、前記穀物調製設備の各部で使用される消耗部品の耐久時間をあらかじめ設定するとともに、該消耗部品の使用時間が設定した耐久時間に到達するとポップアップ画面で警報を報知する部品交換報知機能を設ける、という技術的手段を講じた。
【００１０】
【００１１】
前記タッチパネル制御部は、前記穀物調製設備に供給される原料の流通履歴の確認ができるようトレーサビリティ履歴書き込み機能を備えていることを特徴とする。
【００１２】
さらに、前記揺動選別部は、前記籾摺部及び前記風選部により籾摺・風選された混合米を籾領域、混合米領域及び玄米領域に偏析分離させるものであり、該揺動選別部の穀粒排出端には、前記各領域を仕切る選別仕切板が移動可能に設けられていて、前記タッチパネル制御部に設けられた自動運転モードを選択した場合には、前記選別仕切板の移動を前記各領域の境界位置付近に正確に位置させるよう移動制御することを特徴とする。
【発明の効果】
【００１３】
請求項１記載の発明によれば、前記穀物調製設備が正常に駆動しているときは運転状況が正常であることを点灯表示するラインフロー表示画面となり、前記自動運転モード選択時に前記穀物調製設備に異常が発生したときは異常箇所がどこであるかを点灯表示するとともに、異常の復旧手順を表示するエラー表示画面となり、前記タッチパネル制御部は、前記エラー表示画面の異常の復旧手順を、過去の異常発生の警報履歴を参照して確認するため複数の発報内容、発報時刻及び復旧時刻を一覧表示する警報履歴表示機能を設け、さらに、前記穀物調製設備の各部で使用される消耗部品の耐久時間をあらかじめ設定するとともに、該消耗部品の使用時間が設定した耐久時間に到達すると警報を報知する部品交換報知機能を設けているから、ラインフロー表示画面により、運転状況を一目で把握することができるとともに、エラー表示画面により、異常等が生じた場合に異常箇所、異常原因を速やかに把握することができ、さらに、異常履歴表示機能により、過去の異常発生内容等が把握できるので、復旧時間や修理時間を短縮することができる。
【００１４】
例えば、警報履歴表示機能を参照し、過去に同じような警報履歴が報知されているかどうかを確認すれば、サービスマンは、どの部品が原因となって正常運転や異常運転を繰り返すのかの見当がつく。そして、見当をつけた部品を、直ちに新品の部品に交換すれば、復旧時間や修理時間を短縮することができる。
【００１５】
そして、前記タッチパネル制御部が、前記穀物調製設備の各部で使用される消耗部品の耐久時間をあらかじめ設定するとともに、該消耗部品の使用時間が前記設定した耐久時間に到達するとポップアップ画面で警報を報知する部品交換報知機能を備えているから、消耗部品の交換時期を事前に報知してくれるので、作業者は安心して作業が行える。また、サービスマンは、消耗部品のメンテナンス状況を容易に把握することができ、異常の発生原因の究明や、復旧時間及び修理時間を短縮することができる。
【００１６】
さらに、請求項２記載の発明によれば、前記穀物調製設備に供給される原料の流通履歴の確認ができるようトレーサビリティ履歴書き込み機能を備えているから、異常の発生原因が原料に起因するものであるか否かの確認ができる。例えば、トレーサビリティ履歴により穀物調製設備に供給された原料穀物の水分を把握すれば、サービスマンは、原料穀物の水分が過多のために、穀物の流動抵抗が大きく、搬送経路に詰まりを生じやすくなっていると推測でき、異常の発生原因の究明につながる。
【００１７】
そして、請求項３記載の発明によれば、前記揺動選別部は、前記籾摺部及び前記風選部により籾摺・風選された混合米を籾領域、混合米領域及び玄米領域に偏析分離させるものであり、該揺動選別部の穀粒排出端には、前記各領域を仕切る選別仕切板が移動可能に設けられていて、前記タッチパネル制御部に設けられた自動運転モードを選択した場合には、前記選別仕切板の移動を前記各領域の境界位置付近に正確に位置させるよう移動制御するものであるから、選別仕切板の移動が基準位置から大きく外れた場合や、選別仕切板の移動が基準位置に収束するのに長時間かかる場合は、運転に異常が発生しているということであり、作業者は選別仕切板の動きを見て異常であるか否かを容易に推測することができる。
【図面の簡単な説明】
【００１８】
【図１】本発明の穀物調製設備の穀物の流れ示すフロー図である。
【図２】穀物調製設備全体の外観を示す斜視図である。
【図３】同上の正面図である。
【図４】タッチパネル表示部に表示されたメインメニューの画面である。
【図５】タッチパネル表示部に表示された保守設定画面である。
【図６】タッチパネル表示部に表示されたトレサ設定画面である。
【図７】タッチパネル表示部に表示された運転メニュー画面である。
【図８】タッチパネル表示部に表示された揺動選別機設定画面である。
【図９】タッチパネル表示部に表示された自動運転画面である。
【図１０】タッチパネル表示部に表示された籾摺部タンクセンサ設定画面である。
【図１１】タッチパネル表示部に表示された籾摺部設定画面である。
【図１２】タッチパネル表示部に表示された混合米タンクセンサ設定画面である。
【図１３】揺動選別部の選別仕切板の自動運転を説明する模式図である。
【図１４】タッチパネル表示部に表示された粒選別部設定画面である。
【図１５】タッチパネル表示部に表示された単動運転画面である。
【図１６】自動運転画面上に表れる異常箇所と警報表示を示す図である。
【図１７】タッチパネル表示部に表示された警報履歴表示画面である。
【発明を実施するための形態】
【００１９】
本発明の実施の形態を図面を参照しながら説明する。図１は本発明に係る穀物調製設備の処理工程を示すフロー図であり、図２は穀物調製設備全体の外観を示す斜視図であり、図３は同正面図である。
【００２０】
図１乃至図３に示すように、本発明の穀物調製設備１は、一対のゴムロールからなる籾摺部２と、摺米から籾殻やしいなや軽い夾雑物を風選別する風選部３と、風選された混合米を揺動選別作用によって籾、玄米及び混合米のそれぞれに選別する揺動選別部４と、選別された玄米のうち、粒が充実した整粒と未熟粒との篩分けを行う粒選別部５とを主要部としている。
前記籾摺部２と風選部３とはそれぞれを重設して一体構造となす一方、風選部３と揺動選別部４との間は、風選部３からの混合米を揚穀して揺動選別部４に供給するように混合米揚穀機６と混合米タンク７とを設けている。また、前記揺動選別部４と粒選別部５との間は、揺動選別部３からの玄米を揚穀して粒選別部５に供給するように玄米揚穀機８を設けている。符号９は揺動選別部４での選別籾や籾摺部２で籾摺処理できなかったオーバーフロー籾などを揚穀して前記籾摺部２へ再供給するための籾返還用揚穀機であり、符号１０は各部を制御するための制御盤であり、符号１１は風選部３で分離された籾殻や夾雑物を機外に排出するための吸引ファンであり、符号１２は籾摺部２の供給タンクであり、符号１３（図１参照）は籾摺部２への籾の戻りタンクであり、符号８４は前記粒選別部５を比較的高所に配置するための架台であり、符号９ａは揚穀機９で揚穀された籾を供給タンク１２に供給するか機外排出とするかを切り換える切り換え弁であり、符号８ａは揚穀機８で揚穀された玄米を粒選別機５に供給するか機外排出とするかを切り換える切り換え弁である。
【００２１】
前記制御盤１０は、基本的な各種スイッチを具備した機械式入力部１０ａと、液晶板によるタッチ操作を可能としたタッチパネル表示部１０ｂとから構成される。図４に示すように、タッチパネル表示部１０ｂには、大きく４つの「運転ボタン１４」「設定ボタン１５」「トレサボタン１６」「警報ボタン１７」に設定されている。
【００２２】
図４の運転ボタン１４では、運転ボタン１４を押すことで図７の運転メニューに遷移し、自動運転、単独運転、遠隔運転の３つの運転方法を選択できるようになっている。すなわち、「自動運転」１４ａを選択すると（ 図７参照）、自動運転ができ、「単独運転」１４ｂを選択すると、籾摺部２，風選部３，揺動選別部４，混合米揚穀機６，玄米揚穀機８及び籾返還用揚穀機９を単独で運転することができ、「遠隔運転」１４ｃを選択すると、機械から離れた作業室から遠隔の指令で運転することができるようになっている。
【００２３】
図４の設定ボタン１５では、設定ボタン１５を押すことで図５の保守画面１８に遷移し、各種消耗部品の耐久時間を設定することができる。そして、穀物調製設備１を稼働している間に、使用時間が耐久時間に達するとポップアップ画面で警報し、使用者に対して消耗部品の交換を促すことができる構成となっている。
図５を参照すれば、保守画面１８には、各消耗部品の耐久時間設定枠１９が設けられ、この設定枠１９を押すことでテンキーが表示され、耐久時間を任意の値の数値を入力することができる。また、保守画面１８に設けられた表示のみボタン２０を押すことで、設定時間がくればポップアップ表示するか否かの確認を行うことができる。保守画面１８の下部に設けられた初期化ボタン２１は、あらかじめ設定された標準の耐久時間に戻すことができるものである。標準の耐久時間としては、ゴムロールの消耗時間が１００時間であり、グリス注油の消耗時間が２００時間であり、籾摺機投入シュートの消耗時間が１０００時間であり、粒選別機・金網交換の消耗時間が１５００時間であり、コンプレッサエア抜きの消耗時間が５０時間で設定されている。以上のように耐久時間を設定して穀物調製設備１を稼働すれば、使用時間が耐久時間に達すれば、警報にて使用者に知らせることができる。
【００２４】
次に、図４のトレサボタン１６では、このボタンを押すことで図６のトレサ設定画面２２に遷移し、各種トレサ情報の入力・記録をすることができる。トレサ情報としては、データベース上の１件のデータファイルとして年月日、開始／終了時間が自動的に振られるので、品種、品位、区分、栽培区分、色選、金網目幅、排出元、投入先、取出量、出来高量、販売先、エンドユーザ、水分等の各種条件・データ等を順次入力して書込ボタン２３を押してデータを登録することになる。このデータファイルとしては、１０００件までを保存することができ、１０００件を超えると古いデータファイルから上書き保存されることになる。また、トレサ履歴タブ２４を押すことで、過去の情報を検索することができる。符号２５はページアップボタンであり、符号２６はページダウンボタンであり、ページめくりをすることができる機能を持っている。
【００２５】
次に、本実施形態の穀物調製設備の自動運転について説明する。図７の「自動運転」１４ａを選択すると、揺動選別機設定画面２７（図８参照）を起動させ、揺動選別機の選別板上の穀粒を全て排出させる動作を行い、その後、自動運転画面２８（図９参照）に遷移させる。自動運転画面２８では、運転の準備が整ったときに「準備完了」ボタン２９が点灯するので、「運転」ボタン３０を押すと、後工程の粒選別部５から起動し、玄米揚穀機８、揺動選別部４、混合米揚穀機６、籾返還用揚穀機９、風選部３及籾摺部２の順で起動することになる。一方、「停止」ボタン３１は、前工程の籾摺部２から停止し、風選部３、籾返還用揚穀機９、混合米揚穀機６、揺動選別部４、玄米揚穀機８及び粒選別部５の順で停止することになる。符号３２は、設備１全体が待機状態となる「一時停止」ボタンである。
【００２６】
「運転」ボタン３０を押し、自動運転を開始すると、次に、各部の調整を行うことになる。図９において、供給タンクセンサボタン３３を押すと、タンクセンサ設定画面３４（図１０）に遷移する。籾摺部２の供給タンク１２には、穀粒の下限値を検知する下限センサ１２ａが設けられており（図１参照）、この下限センサ１２ａが作動した場合の条件設定が、図１０のセンサ設定画面３４で設定できるのである。すなわち、図１０の左欄に、下限センサ１２ａがオンした場合（つまり、原料が溜まっている状態）に、すぐに、籾摺部２を起動するか否かの時間を設定する籾摺部起動時間設定部３５（標準値としては２０秒）と、下限センサ１２ａがオフした場合（つまり、原料がなくなった状態）に、すぐに、籾摺部２を停止するか否かの時間を設定する籾摺部停止時間設定部３６（標準値としては０．７秒）とが設けられる。
【００２７】
一方、籾摺部２の戻りタンク１３には、穀粒の上限値を検知する上限センサ１３ａが設けられており（図１参照）、この上限センサ１３ａが作動した場合の条件設定が、図１０のセンサ設定画面３４で設定できる。すなわち、図１０の右欄に、上限センサ１３ａがオンした場合（つまり、戻り籾が多くなり、戻りタンクから溢れ出る直前の状態）に、すぐに、揺動選別部４を停止するか否かの時間を設定する揺動選別部停止時間設定部３７（標準値としては２秒）と、上限センサ１３ａがオフした場合（つまり、戻り籾が少なくなった状態）に、すぐに、揺動選別部４を起動するか否かの時間を設定する揺動選別部起動時間設定部３８（標準値としては０．７秒）と、上限センサ１３ａがオンした場合（つまり、戻り籾が多くなり、戻りタンクから溢れ出る状態）に、すぐに、警報を発するか否かの時間を設定する警報発生時間設定部３９（標準値としては３秒）と、が設けられる。センサ設定画面３４では、以上のような時間設定が行われる。
【００２８】
上記時間設定を終了させると、図９において、籾摺部ボタン４０を押し、籾摺部調整画面４１（図１１）に遷移させる。ここでは、籾摺部電流設定部４２と流量設定部４３とが設けられ、それぞれのアップダウンキー４４，４５を押すことで、籾摺部電流設定部４２では任意の脱ぷ率を設定するとともに、流量設定部４３では任意の流量を設定することになる。
【００２９】
さらに、図９において、混合米タンクセンサボタン４６を押すと、混合米タンクセンサ設定画面４７（図１２）に遷移する。揺動選別部４の混合米タンク７には、穀粒の上限値を検知する上限センサ７ａと穀粒の下限値を検知する下限センサ７ｂとが設けられており（図１参照）、上限センサ７ａが作動した場合の条件設定が、図１２の混合米タンクセンサ設定画面４７で設定できる。すなわち、図１２の左上欄には、上限センサ７ａがオンした場合（つまり、混合米が溜まってきて溢れそうな満量状態）に、すぐに、籾摺部２を停止するか否かの時間を設定する籾摺部停止時間設定部４８（標準値としては３秒）と、上限センサ７ａがオフした場合（つまり、満量状態から混合米が少なくなった状態）に、流量をわずかに減少して籾摺部２を再起動するまでの時間を設定する籾摺部再起動時間設定部４９（標準値としては１５秒）とを設ける。また、図１２の右上欄には、下限センサ7ｂがオフした場合（つまり、混合米が減ってきて選別ムラが生じる状態）に、すぐに、揺動選別部４を停止するか否かの時間を設定する揺動選別部停止時間設定部５０（標準値としては３．５秒）と、下限センサ７ｂがオンした場合（つまり、混合米が再び溜まってきて選別ムラが解消される状態）に、流量をわずかに増加して揺動選別部４を再起動するまでの時間を設定する揺動選別部再起動時間設定部５１（標準値としては１５秒）とを設ける。
【００３０】
また、図１に示すように、供給タンク１２から籾摺部２に原料を供給する際は、流量の増減制御を行うことのできる振動フィーダ５２が設けられる。該フィーダは例えば、電磁フィーダ等を用いると、電流制御により振動の大きさが調節でき、供給タンク１２から籾摺部２に原料を供給するときに流量の多寡を調節できるものである。図１２の左下欄には、前記振動フィーダ５２の制御パネルが設けられており、前記下限センサ７ｂがオンしたときに、流量をわずかに増量するフィーダ流量増量部５３（現在よりも０．２％増量）と前記上限センサ７ａがオフしたときに（満量状態から混合米が少なくなった状態）に、流量をわずかに減量するフィーダ流量減量部５４とが設けられている。
【００３１】
上記設定が終了すれば、図９において、揺動選別部ボタン５５を押し、揺動選別機設定画面２７（図８）に遷移させる。図１に示すように、揺動選別部４には、揺動選別板の穀粒排出端に、籾領域、混合米領域及び玄米領域の各領域を仕切る選別仕切板４ａが設けられており、該選別仕切板４ａは、左右方向に移動可能となるよう、ギヤモータ付のねじ軸が取り付けられていて、該選別仕切板を電気的に制御可能な構成となっている（図８の符号４ａは玄米領域と混合米領域とを仕切る仕切板であり、符号４ｃは籾領域と混合米領域とを仕切る仕切板であり、仕切板４ａを移動することで仕切板４ｃも移動される仕組みとなっている。）。特に、選別仕切板４ａ（玄米領域と混合米領域とを仕切る仕切板）には、籾と玄米とを色で判別することができる光学センサ４ｂが取り付けられており、該光学センサ４ｂは、境界位置付近に籾が流れているか玄米が流れているかを判別し、選別仕切板４ａを、混合米領域と玄米領域との境界位置付近に正確に位置させる役目を果たすことができる。図８の調整画面２７では選別仕切板４ａの自動運転の際の調整ができる。
【００３２】
図８の設定画面２７を参照すれば、画面２７の下部には、仕切板位置設定部５５が示されていて、作業者は選別仕切板４ａの位置が基準位置５６でよいか否かを確認し、玄米領域を広げたい場合は、右ボタン５７を押して基準位置５６の表示を右方向に移動させることができ、玄米領域を縮小したい場合は、左ボタン５８を押して基準位置５６の表示を左方向に移動させることができる。符号５９は選別仕切板４ａの基準位置５６を確定する確定ボタンであり、符号６０は現時点の選別仕切板４ａの位置を示すインジケータであり、符号６１は揺動選別板４上の混合米量を調整する流量調整部であり、符号６２は揺動選別板４の角度を調整する角度調整部である。
【００３３】
次に、図１３を参照して、前記選別仕切板４ａの自動運転について説明する。いま、図１３（ａ）のように、光学センサ４ｂの取り付け位置を示すインジケータ６０が「５」の位置を示すとき、選別仕切板４ａは、基準位置「３」から籾寄りに「２」多い位置にある。この場合、揺動選別部４の循環・排出バルブ６３（図９参照）は機外排出側に切り替わり、玄米排出状態となる。このとき、選別仕切板４ａのギヤモータは、選別仕切板４ａを籾方向へ移動するよう制御する。
【００３４】
次に、図１３（ｂ）のように、選別仕切板４ａを籾方向に移動制御し、ついに、光学センサ４ｂが「籾」を感知するようになると、インジケータ６０は「６」の位置付近を示し、この状態になると、循環・排出バルブ６３（図９参照）は機内循環側に切り替わり、選別仕切板４ａを玄米方向へ移動するよう制御する。
【００３５】
そして、図１３（ｃ）のように、選別仕切板４ａを玄米方向に移動させ、光学センサ４ｂが「籾」を感知しなくなると、インジケータ６０は「５」以下を示すようになり、この状態になると、循環・排出バルブ６３（図９参照）は機外排出側に切り替わり、玄米排出状態となる。そして、再度、図１３（ａ）のように選別仕切板４ａを籾寄りに制御することになる。以上のような選別仕切板４ａの位置の制御は、選別仕切板４ａを基準位置「３」付近に制御しつつ、かつ、玄米の機外への排出量をできるだけ多くしようとする制御である。このとき、選別仕切板４ａの移動が基準位置５６から大きく外れた場合や、選別仕切板４ａの移動が基準位置「３」に収束するのに長時間かかる場合は、運転に異常が発生しているということであり、作業者は選別仕切板４ａの動きを見て異常であるか否かを容易に推測することができる。
【００３６】
上記設定が終了すれば、図９において、粒選別部ボタン６４を押し、粒選別部設定画面６５（図１４）に遷移させる。粒選別部設定画面６５では、粒選別部５の選別金網５ａ（図１参照）への米粒の目詰まり防止のために、選別金網５ａの正回転、逆回転の時間設定が可能となっている。符号６６は、正回転時間設定部であり、選別金網５ａの正回転時間の設定をすることができ、標準値としては、２時間を設定することができる。符号６７ は、逆回転時間設定部であり、逆回転時間の設定をすることができ、標準値としては３ ０秒を設定することができる。符号６８は、停止時間設定部であり、選別金網５ａの正回転の停止、次いで、循環排出バルブ８ａ（図１）を機外排出の状態（米粒が供給されない状態）として、逆回転を開始する時間を設定することができ、標準値としては６０秒を設定することができる。
【００３７】
次に、本実施形態の穀物調製設備の単動運転について説明する。図７の「単動運転」１４ｂを選択すると、単動画面６９に遷移し（図１５参照）、各モータを駆動することになる。起動する際には、下流側からモータを起動することになる。まず、粒選別部５を駆動させるため、粒選別機モータ７０を正回転に、残留排出バルブ８ａのモータ７１を通常に切り換え、粒選別機用揚穀機８のモータ７２を駆動しておく。各モータの駆動は、単動画面６９上のタッチボタンを押すことで起動が可能となる。次に、籾摺部２、風選部３及び揺動選別部４を駆動させることになる。混合米揚穀機６のモータ７３を起動し、揺動選別部４は、揺動選別部４の循環排出バルブ６３のバルブモータ７４を循環位置に切り換えておき、選別板上での選別状態が安定した後に排出位置に切り換える。また、揺動選別部４の流量及び選別板の角度を適宜調整した後、揺動選別機４の本機モータ７５を駆動させるとよい。籾摺部２及び風選部３は、籾殻輸送ファンモータ７６、籾返還用揚穀機９のモータ７７、混合米排出スクリュ用のモータ７８及び風選機用のモータ７９を順次起動し、次いで、籾摺部２の本機モータ８０を起動することになる。前記各モータは、単動画面６５上の各起動ボタンを押すことで、オン・オフの操作をすることが可能となる。
【００３８】
以上のようにオペレータの選択により自動運転又は単動運転により、本実施形態の穀物調整設備の運転操作がなされるが、次に、前記モータ等の異常が発生した場合の対処方法について説明する。
【００３９】
自動運転の場合、運転中は、図９のような自動運転モニタが表示され、設備全体の流れがラインフロー表示となり、運転状況を一目で把握することができる。このような正常運転中に、例えば、モータ等の異常が発生すると、図１６のように異常箇所と警報表示が表れる。このような画面表示となった場合、オペレータは原因を究明するとともに、復旧対策を講じることになる。例えば、図１６の場合、混合米揚穀機６に、単に、穀粒の詰まりが発生しただけであれば、穀粒を除去して詰まりを解消し、動力盤８１（図２参照）内のサーマルリレーを復旧し、警報解除ボタン８２を押して警報を解除することになる。これに対し、混合米揚穀機６のモータ７３が焼損しているなどしてモータが故障している場合は、モータ７３を新品モータと交換後に動力盤８１のサーマルリレーを復旧することになる。このとき、混合米揚穀機６の単なる詰まりか、あるいは、モータ７３が焼損しているかの確認は、図１７の警報画面を確認することである程度の判断がつくと思われる。
【００４０】
図１６の警報解除ボタン８２を押すと、図４のメインメニューに遷移し、ここで、警報ボタン１７を押すことで、図１７のような過去の警報履歴一覧が表示されるようになる。図１７を参照すれば、過去に何度も混合米揚穀機６の詰まり現象が生じていることが分かる。この履歴に基づき、サービスマンはモータ７３が一部焼損し、一時停止を繰り返す動作をしていると判断できれば、モータ７３を新品に交換することで根本的な解決手段となり得る。
サービスマンにより混合米揚穀機６のモータ７２を新品のモータと交換した後は、作業者が図１７の警報解除ボタン８３を押すことで、図４のメインメニューに遷移し、運転を再開することができる。
【産業上の利用可能性】
【００４１】
本発明は、ミニライスセンターなどコンパクトに配置構成した穀物調製設備の分野で適用することができる。
【符号の説明】
【００４２】
１  穀物調製設備
２  籾摺部
３  風選部
４  揺動選別部
５  粒選別部
６  混合米揚穀機
７  混合米タンク
８  玄米揚穀機
９  籾返還用揚穀機
１０  制御盤
１１  吸引ファン
１２  供給タンク
１３  戻りタンク
１４  運転ボタン
１５  設定ボタン
１６  トレサボタン
１７  警報ボタン
１８  保守画面
１９  耐久時間設定枠
２０  表示のみボタン
２１  初期化ボタン
２２  トレサ設定画面
２３  書込ボタン
２４  トレサ履歴タブ
２５  ページアップボタン
２６  ページダウンボタン
２７  揺動選別機設定画面
２８  自動運転画面
２９  準備完了ボタン
３０  運転ボタン
３１  停止ボタン
３２  一時停止ボタン
３３  供給タンクセンサボタン
３４  タンクセンサ設定画面
３５  籾摺部起動時間設定部
３６  籾摺部停止時間設定部
３７  揺動選別部停止時間設定部
３８  揺動選別部起動時間設定部
３９  警報発生時間設定部
４０  籾摺部ボタン
４１  籾摺部調整画面
４２  籾摺部電流設定部
４３  流量設定部
４４  アップダウンキー
４５  アップダウンキー
４６  混合米タンクセンサボタン
４７  混合米タンクセンサ設定画面
４８  籾摺部停止時間設定部
４９  籾摺部再起動時間設定部
５０  揺動選別部停止時間設定部
５１  揺動選別部再起動時間設定部
５２  振動フィーダ
５３  フィーダ流量増量部
５４  フィーダ流量減量部
５５  仕切板位置設定部
５６  基準位置
５７  右ボタン
５８  左ボタン
５９  確定ボタン
６０  インジケータ
６１  流量調整部
６２  角度調整部
６３  循環・排出バルブ
６４  粒選別部ボタン
６５  粒選別部設定画面
６６  正回転時間設定部
６７  逆回転時間設定部
６８  停止時間設定部
６９  単動画面
７０  粒選別機モータ
７１  モータ
７２  モータ
７３  モータ
７４  モータ
７５  本機モータ
７６  籾殻輸送ファンモータ
７７  モータ
７８  モータ
７９  モータ
８０  本機モータ
８１  動力盤
８２  警報解除ボタン
８３  警報解除ボタン
８４  架台
【図１】
0006592918.tif 000002
【図２】
0006592918.tif 000003
【図３】
0006592918.tif 000004
【図４】
0006592918.tif 000005
【図５】
0006592918.tif 000006
【図６】
0006592918.tif 000007
【図７】
0006592918.tif 000008
【図８】
0006592918.tif 000009
【図９】
0006592918.tif 000010
【図１０】
0006592918.tif 000011
【図１１】
0006592918.tif 000012
【図１２】
0006592918.tif 000013
【図１３】
0006592918.tif 000014
【図１４】
0006592918.tif 000015
【図１５】
0006592918.tif 000016
【図１６】
0006592918.tif 000017
【図１７】
0006592918.tif 000018